(57)【要約】【課題】データ送信時にあらかじめ無線ネットワークの資源予約が必要な場合において、複数のデータが入力される無線子機がデータごとに資源予約を行い、データ制御を効率よく行う。【解決手段】図２の無線子機は、無線親機に送信する第二の資源予約要求に含まれる資源予約識別子と、通信機器に送信する第一の資源予約要求に対する応答に含まれるデータ識別子を関連付けて管理する識別子管理手段２０６と、通信機器から受信したデータに付加されたデータ識別子の値を、関連付けられた資源予約識別子の値に変換する識別子変換手段２１０とを備え、通信機器から送られてきたデータに付加されたデータ識別子を資源予約識別子に変換し、データごとに資源予約を行う。【選択図】図２
2005167539.tif 000002
【特許請求の範囲】
【請求項１】
無線のネットワーク資源を割り当てる無線親機と前記無線親機より前記ネットワーク資源を割り当てられる複数の無線子機と前記無線子機に有線で接続された通信機器から構成されるネットワークにおいて、前記通信機器から送信するデータを制御するデータ制御システムであって、前記通信機器は、
有線接続された前記無線子機に送信する第一の資源予約要求を生成する第一の資源予約要求生成手段と、
前記無線子機から受信した第一の資源予約要求に対する応答を検出する第一の資源予約応答処理手段と、
前記データにデータを識別するデータ識別子を付加するデータ識別子付加手段
とを有し、前記無線子機は、
前記第一の資源予約要求に基づいて前記無線親機に送信する第二の資源予約要求を生成する第二の資源予約要求生成手段と、
前記無線親機から受信した第二の資源予約要求に対する応答を検出する第二の資源予約応答処理手段と、
前記無線親機に送信する第二の資源予約要求に含まれる資源予約識別子と、前記データ識別子とを関連付けて管理する識別子管理手段と、
前記通信機器から受信したデータに付加された前記データ識別子を前記資源予約識別子に変換する識別子変換手段と、
前記無線親機から受信したデータ送信要求を検出するデータ送信要求処理手段と、
前記識別子変換手段にて前記データ識別子を前記資源予約識別子に変換されたデータを保持し、前記データ送信要求処理手段で検出された前記資源予約識別子と一致する前記資源予約識別子の値が付加された前記通信機器からの前記データを送信するデータ保持手段
とを有し、前記無線親機は、
前記第二の資源予約要求の情報に応じて前記資源予約識別子と無線のネットワーク資源を対応付けて割り当てる資源割り当て手段と、
前記資源割り当て手段での判定によりネットワーク資源が確保した後に、所定の間隔で第二の資源予約要求を送信した前記無線子機に対する資源予約識別子の値を情報として含むデータ送信要求を生成するデータ送信要求手段
とを有することを特徴とするデータ制御システム。
【請求項２】
前記データ識別子付加手段は前記第一の資源予約応答処理手段で検出した第一の資源予約予約要求に対する応答に含まれる前記データ識別子を前記データに付加することを特徴とする請求項１記載のデータ制御システム。
【請求項３】
前記識別子管理手段は、前記第一の資源予約応答処理手段で検出した第一の資源予約要求に含まれる情報からデータに必要なネットワーク資源量を調べ、前記ネットワーク資源量に関連付けられた資源予約識別子を割り当てることを特徴とする請求項１記載のデータ制御システム。
【請求項４】
前記データ識別子付加手段は前記第一の資源予約応答処理手段で検出した第一の資源予約予約要求に対する応答に含まれるデータ識別子を前記データに付加することを特徴とする請求項３記載のデータ制御システム。
【請求項５】
前記識別子管理手段は、前記第二の資源予約応答処理手段で検出した第二の資源予約要求に対する応答に含まれる情報から、前記資源割り当て手段での判定により資源が確保できたことが分かると、前記データのインターネットプロトコルのトランスポート層で利用される送信先ポート番号と、データリンク層で利用される送信先アドレスをデータ識別子として前記資源予約識別子と関連付けて管理することを特徴とする請求項１記載のデータ制御システム。
【請求項６】
前記データ識別子付加手段は、前記データが入力されると、データのＴＣＰ／ＵＤＰヘッダに記載されている送信先ポート番号をＥｔｈｅｒｎｅｔ（Ｒ）ヘッダに付加することを特徴とする請求項５記載のデータ制御システム。
【発明の詳細な説明】
【技術分野】
【０００１】
本発明は、データ送信時にあらかじめ無線ネットワークの資源予約が必要な場合の、データ制御システムである。
【背景技術】
【０００２】
従来の無線ネットワークの資源予約の技術として、資源を時分割にする方式を用いるものがあった（例えば、特許文献１参照）。図１３は、前記特許文献１に記載された従来のネットワークを示すものである。
【０００３】
無線区間のネットワーク資源を管理している無線親機１００１、データ送信時に事前に該無線親機１００１にネットワーク資源の予約を行なってから無線区間にデータを送信する無線子機１００２及び無線子機１００３で構成される。ただし無線子機の数は二つに限定されない。
【０００４】
以上のように構成された従来の無線ネットワークでの無線ネットワークの資源予約について説明する。
【０００５】
図１４は従来方式で使用する制御フレーム及び情報フレームを示したものである。
【０００６】
制御フレームは、要求アクセス応答フレーム２００１、要求アクセスフレーム２００２、データ送信許可フレーム２００３で構成される。
【０００７】
情報フレームは、データ送信フレーム２００４で構成される。
【０００８】
要求アクセス応答フレーム２００１は、要求アクセスフレーム２００２を用いて無線親機１００１へ送信した資源予約に対して、その結果を無線親機１００１が要求アクセスフレーム２００２を送信した無線子機へ通知するために使用する。
【０００９】
要求アクセスフレーム２００２は、データを送信したい無線子機が無線親機１００１へ資源を予約するために使用する。
【００１０】
データ送信許可フレーム２００３は、直後の資源を割り当てた無線子機情報を無線親機１００１が通知するために使用する。
【００１１】
データ送信フレーム２００４は、無線子機がデータを送信するために使用する。その際、データを送信した無線子機はさらに送信したいデータがあれば資源の再予約をすることができる。
【００１２】
なお、制御フレームには端末識別子情報が含まれている。端末識別子情報の内容は各フレームで異なる。各フレームの端末識別子の内容は以後に述べる。
【００１３】
次に、無線子機１００２が無線子機１００３にデータを送るときに無線親機１００１に資源予約を行なう場合を例として示す。
【００１４】
まず、無線子機１００２は資源を予約するため、無線親機１００１に要求アクセスフレーム２００２を送信する。この時の端末識別子情報の内容は予約を送信した無線子機の識別子なので無線子機１００２を表す。
【００１５】
無線親機１００１は要求アクセスフレーム２００２を受信したら、所定の判定方法で資源を割り当てる。その後、無線親機１００１は要求アクセス応答フレーム２００１により、判定結果を通知する。この時の端末識別子情報の内容は予約を受け付けた無線子機の識別子なので無線子機１００２を表す。ここでは資源が予約できたとする。
【００１６】
要求アクセス応答フレーム２００１を受信した無線子機１００２は判定結果の情報から資源が予約できたことを知りデータ送信待ち状態となり、無線親機１００１から送信されるデータ送信許可フレーム２００３を待つ。
【００１７】
無線親機１００１は、資源の使用許可が無線子機１００２の順番になったらデータ送信許可フレーム２００３を全無線子機に送信する。この時の端末識別子情報の内容はデータ送信を許可した無線子機の識別子なので無線子機１００２を表す。
【００１８】
無線子機１００２は該データ送信許可フレーム２００３を受信したら、その直後にデータ送信フレーム２００４を無線子機１００３へ送信する。
【００１９】
ここで、無線子機１００２以外の無線子機は、該データ送信許可フレーム２００３を受信したら端末識別子情報から該無線子機に対する送信許可でないことが判別できる。よって衝突が回避でき、高い伝送効率が実現できる。
【特許文献１】特開２０００−２６１３９９号公報
【発明の開示】
【発明が解決しようとする課題】
【００２０】
図１５のようなネットワークを想定する。
【００２１】
図１５のネットワークは、無線親機１００１の機能に、有線を接続できるポートを加えた無線親機３００１、無線子機１００２の機能に加え有線を接続できるポートを加えた無線子機３００２及び無線子機３００３、有線を介して無線親機３００１に接続された通信機器４００１及び通信機器４００２、有線を介して無線子機３００２に接続された通信機器４００３及び通信機器４００４、有線を介して無線子機３００３に接続された通信機器４００５及び通信機器４００６で構成される。ただし無線子機の数は二つに限定されない。また無線親機及び無線子機に有線を介して接続される通信機器も二つに限定されない。
【００２２】
以上のように構成されたネットワークにおいて、通信機器４００３から通信機器４００５へ、通信機器４００４から通信機器４００６へ映像等の大容量のストリームデータを送信する場合、通信機器４００３と通信機器４００５から一定の長さに区切られたデータが  無線子機３００２に一定間隔で入力される。
【００２３】
無線子機３００２では通信機器４００３からのデータと通信機器４００４からのデータが混在する。仮に無線子機３００２に入力された、一定の長さに区切られたデータ順に資源予約を行えば無線区間の伝送効率は保証されるが、従来技術では１回資源を予約したら予約した資源でデータを送信するまで、再予約は出来ないのでストリームデータならばデータ受信側である通信機器では映像乱れ等の支障が発生すると考えられる。よって同時に複数の資源予約が行えるほうが複数のストリームデータを伝送するには適していると考えられる。
【００２４】
しかしながら、無線子機３００２で複数の資源予約が可能とした場合、必要資源量が異なる二つの予約を行った後に、無線親機３００１からデータ送信許可フレーム２００３が送られてきても、どちらの予約に対するデータ送信許可フレームか判別できず、誤って確保した資源量に対して、必要資源量が大きいデータを送信した場合、次に予約されているデータに影響を与える可能性がある。
【００２５】
本発明は、上記の課題を解決するもので、データ送信時にあらかじめ無線ネットワークの資源予約が必要な場合において、複数のデータが入力される無線子機が、データごとの資源予約を行いデータ制御を効率よく行うデータ制御システムを提供することを目的とする。
【課題を解決するための手段】
【００２６】
本発明は、上記問題点を解決するものであり、請求項１の発明は、無線のネットワーク資源を割り当てる無線親機と前記無線親機より前記ネットワーク資源を割り当てられる複数の無線子機と前記無線子機に有線で接続された通信機器から構成されるネットワークにおいて、前記通信機器から送信するデータを制御するデータ制御システムであって、前記通信機器は、有線接続された前記無線子機に送信する第一の資源予約要求を生成する第一の資源予約要求生成手段と、前記無線子機から受信した第一の資源予約要求に対する応答を検出する第一の資源予約応答処理手段と、前記データにデータを識別するデータ識別子を付加するデータ識別子付加手段とを有し、前記無線子機は、前記第一の資源予約要求に基づいて前記無線親機に送信する第二の資源予約要求を生成する第二の資源予約要求生成手段と、前記無線親機から受信した第二の資源予約要求に対する応答を検出する第二の資源予約応答処理手段と、前記無線親機に送信する第二の資源予約要求に含まれる前記資源予約識別子と、前記データ識別子とを関連付けて管理する識別子管理手段と、前記通信機器から受信したデータに付加された前記データ識別子を前記資源予約識別子に変換する識別子変換手段と、前記無線親機から受信したデータ送信要求を検出するデータ送信要求処理手段と、前記識別子変換手段にて前記データ識別子を前記資源予約識別子に変換されたデータを保持し、前記データ送信要求処理手段で検出された前記資源予約識別子と一致する前記資源予約識別子の値が付加された前記通信機器からの前記データを送信するデータ保持手段とを有し、前記無線親機は、前記第二の資源予約要求の情報に応じて前記資源予約識別子と無線のネットワーク資源を対応付けて割り当てる資源割り当て手段と、前記資源割り当て手段での判定によりネットワーク資源が確保した後に、所定の間隔で第二の資源予約要求を送信した前記無線子機に対する資源予約識別子の値を情報として含むデータ送信要求を生成するデータ送信要求手段とを有することを特徴とするものである。
【００２７】
請求項２の発明は、請求項１の発明において、前記データ識別子付加手段は前記第一の資源予約応答処理手段で検出した第一の資源予約予約要求に対する応答に含まれる前記データ識別子を前記データに付加することを特徴とするものである。
【００２８】
請求項３の発明は、請求項１の発明において、前記識別子管理手段は、前記第一の資源予約要求処理手段で検出した第一の資源予約要求に含まれる情報からデータに必要なネットワーク資源量を調べ、前記ネットワーク資源量に関連付けられた資源予約識別子を割り当てることを特徴とするものである。
【００２９】
請求項４の発明は、請求項３の発明において、前記データ識別子付加手段は前記第一の資源予約応答処理手段で検出した第一の資源予約予約要求に対する応答に含まれるデータ識別子を前記データに付加することを特徴とするものである。
【００３０】
請求項５の発明は、請求項１の発明において、前記識別子管理手段は、前記第二の資源予約応答処理手段で検出した第二の資源予約要求に対する応答に含まれる情報から、前記資源割り当て手段での判定により資源が確保できたことが分かると、前記データのインターネットプロトコルのトランスポート層で利用される送信先ポート番号と、データリンク層で利用される送信先アドレスをデータ識別子として前記資源予約識別子と関連付けて管理することを特徴とするものである。
【００３１】
請求項６の発明は、請求項５の発明において、前記データ識別子付加手段は、前記データが入力されると、データのＴＣＰ／ＵＤＰヘッダに記載されている送信先ポート番号をＥｔｈｅｒｎｅｔ（Ｒ）ヘッダに付加することを特徴とするものである。
【発明の効果】
【００３２】
本発明のデータ制御システムによれば、以下のような効果を奏する事ができる。
【００３３】
請求項１の発明では、通信機器から受信したデータに付加されたデータ識別子を関連付けられた資源予約識別子に変換することにより、データごとに資源予約識別子をデータ付加でき、無線親機から受信するデータ送信要求に対して、複数のデータが混在する無線子機において、ネットワーク資源の割り当てに応じてデータが送信できる。
【００３４】
請求項２の発明では、通信機器では、無線親機からネットワーク資源を割り当てられる無線子機が管理している情報をデータ識別子としてデータに付加することにより、データ識別子の情報量を軽減でき、さらに無線子機ではデータ識別子を資源予約識別子に変換するときに、参照する情報量が軽減できるのでデータに対する処理を軽減できる。
【００３５】
請求項３の発明では、請求項２の効果が得られると共に、必要なネットワーク資源量に関連付けられた資源予約識別子を使用するため、必要なネットワーク資源量の大きいデータの場合は、第二の資源予約要求を送信せずとも予約の判定が行える、必要なネットワーク資源量の小さいデータの場合は、必要なネットワーク資源量が小さいデータでネットワーク資源を占領することを回避することが可能になる。
【００３６】
請求項４の発明では、請求項２の効果が得られると共に、データに優先度を付けることが可能なり、優先制御機能が装備されたブリッジやスイッチングハブなどで、高品質のデータを優先的に送信することができる。
【００３７】
請求項５の発明では、通信機器が保持している既存の情報である送信先アドレスと送信先ポート番号での処理が行える。
【００３８】
請求項６の発明では、ＴＣＰ／ＵＤＰヘッダの送信先ポート番号を参照することが可能なインターネットプロトコルのトランスポート層で動作するアプリケーションスイッチや送信先ポート番号を判別可能な機器を必要とすることがなく、レイヤ２であるデータリンク層で動作するブリッジやスイッチングハブで処理が可能になり、伝送路での処理が軽減できる。
【発明を実施するための最良の形態】
【００３９】
以下本発明の実施の形態について、図面を参照しながら説明する。
【００４０】
（実施の形態１）
図１〜３は、本発明の実施の形態１におけるデータ制御システムの構成を示すブロック図である。
【００４１】
図１の通信機器は、有線側から入力された受信信号の受信処理と有線側に送信するデータの送信処理を行なう有線通信手段１０１、有線通信手段１０１から入力されたデータの内容を調べ該通信機器宛てのデータか判定するデータ処理手段１０２、映像や音声のデータが蓄積されたデータ蓄積手段１０３、送信要求コマンドに応じて無線子機に送信する第一の資源予約要求を生成する第一の資源予約要求生成手段１０４、無線子機から受信した第一の資源予約要求に対する応答を検出する第一の資源予約応答処理手段１０５、第一の資源予約応答処理手段１０５で検出した第一の資源予約予約要求に対する応答に含まれるデータ識別子をデータ蓄積手段１０３から送出された所定のデータに付加するデータ識別子付加手段１０６で構成される。
【００４２】
図２の無線子機は、アンテナ２０１、アンテナ２０１で受信する信号の受信処理とアンテナ２０１を介して送信するデータの送信処理を行なう無線通信手段２０２、有線側から入力された受信信号の受信処理と有線側に送信するデータの送信処理を行なう有線通信手段２０３、無線通信手段２０２及び有線通信手段２０３から入力されたデータの内容を調べ該無線子機宛てのデータか判定するデータ処理手段２０４、通信機器から受信した第一の資源予約要求を検出する第一の資源予約要求処理手段２０５、無線親機に送信する第二の資源予約要求に含まれる資源予約識別子と、通信機器に送信する第一の資源予約要求に対する応答に含まれるデータ識別子を関連付けて管理する識別子管理手段２０６、第一の資源予約要求の情報と識別子管理手段２０６から与えられた資源予約識別子の値を情報として含む、無線親機に送信する第二の資源予約要求を生成する第二の資源予約要求生成手段２０７、無線親機から受信した第二の資源予約要求に対する応答を検出する第二の資源予約応答処理手段２０８、第二の資源予約応答の情報と識別子管理手段２０６から与えられたデータ識別子の値とを情報として含む、通信機器に送信する第一の資源予約要求に対する応答を生成する第一の資源予約応答生成手段２０９、通信機器から受信したデータに付加されたデータ識別子の値を、関連付けられた資源予約識別子の値に変換する識別子変換手段２１０、無線親機から受信したデータ送信要求を検出するデータ送信要求処理手段２１１、識別子変換手段２１０にてデータ識別子を資源予約識別子に変換されたデータを保持し、データ送信要求処理手段２１１で検出された資源予約識別子の値と一致する資源予約識別子の値が付加されたデータを送出するデータ保持手段２１２で構成される。
【００４３】
図３の無線親機は、アンテナ３０１、アンテナ３０１で受信する信号の受信処理とアンテナ３０１を介して送信するデータの送信処理を行なう無線通信手段３０２、有線側から入力された受信信号の受信処理と有線側に送信するデータの送信処理を行なう有線通信手段３０３、無線通信手段３０２及び有線通信手段３０３から入力されたデータの内容を調べ該無線親機宛のデータか判定するデータ処理手段３０４、無線子機から受信した第二の資源予約要求を検出する第二の資源予約要求処理手段３０５、第二の資源予約要求の情報に応じて資源予約識別子と無線ネットワークの資源を対応付けて割り当てる資源割り当て手段３０６、資源割り当て手段３０６での資源割り当て結果と第二の資源予約要求処理手段３０５で検出した資源予約識別子の値を情報として含む第二の資源予約応要求に対する応答を生成する第二の資源予約応答生成手段３０７、資源割り当て手段３０６での判定により資源を確保した後に、所定の間隔で第二の資源予約要求を送信した無線子機に対する資源予約識別子の値を情報として含むデータ送信要求を生成するデータ送信要求生成手段３０８で構成される。
【００４４】
以上のように構成したデータ制御システムの動作について説明する。
【００４５】
資源割り当て手段３０６の資源の割り当て方法を説明する。割り当て方法はＩＥＥＥ８０２．１１のタスク・グループｅ（ＴＧｅ）で検討されている、ＨＣＦ  ｐｏｌｌｅｄ  ｃｈａｎｎｅｌ  ａｃｃｅｓｓ（以後HCFと呼ぶ）を使用する。ＴＧｅではＭＡＣレイヤを拡張しネットワークの品質サービスをサポートする方法の検討が進められおり、ＨＣＦは指定された帯域幅や遅延時間などのパラメータを保証するためのアクセス方式である。
【００４６】
ＨＣＦは、資源を予約すると、予約時のパラメータを保証するために図４に示すように所定の間隔で資源が割り当てられるので、一定の長さに区切られたデータが入力されるごとに資源を随時予約する従来技術の資源予約方式に比べ、大容量の映像等のストリームデータの送信に適している。
【００４７】
また、ＨＣＦでは一つの無線子機が複数の資源予約が可能であり、無線子機は資源の予約時に予約の識別として資源予約識別子を使用し、無線親機が送信する直後の資源を割り当てた無線子機情報を含むデータ送信要求には、予約時に使用した資源予約識別子の情報が含まれている（参照文献：８０２．１１高速無線ＬＡＮ教科書  Ｐ３９〜Ｐ４２  株式会社ＩＤＧジャパン）。
【００４８】
図５は本発明の実施の形態１におけるネットワークである。
【００４９】
図１の無線親機の機能を所持する無線親機１１、図２の無線子機の機能を所持する無線子機１２及び無線子機１３、無線親機１１に有線で接続された図３の通信機器の機能を所持する通信機器２１及び通信機器２２、無線親機１２に有線で接続された図３の通信機器の機能を所持する通信機器２３及び通信機器２４、無線親機１３に有線で接続された図３の通信機器の機能を所持する通信機器２５及び通信機器２６で構成される。ただし無線子機の数は二つに限定されない。また無線親機及び無線子機に有線を介して接続される通信機器も二つに限定されない。また有線で接続される機器は全てが通信機器である必要はない。
【００５０】
ここで、通信機器２３から通信機器２５にデータを送信する場合を例としてデータ制御の説明をする。また送信するデータは大容量の映像等のストリームデータとする。
【００５１】
まず、通信機器２３の第一の資源予約要求生成手段１０４に送信要求コマンドが入力される。第一の資源予約要求生成手段１０４は送信要求コマンドに含まれている送信したいデータの情報から資源予約に必要なパラメータを算出し、算出したパラメータを情報に含んだ第一の資源予約要求を生成し、データ処理手段１０２に送る。
【００５２】
データ処理手段１０２は第一の資源予約要求を受けたら、第一の資源予約要求を有線で接続された無線子機１２に送信するため、第一の資源予約要求に無線子機１２のアドレスを付加して、有線通信手段１０１に送る。
【００５３】
有線通信手段１０１は第一の資源予約要求にデジタル変調を施し、送信信号に変換し有線に出力する。
【００５４】
無線子機１２は有線通信手段２０３で、通信機器２３から出力された第一の資源予約要求を受信すると、デジタル復調を施しデータ処理手段２０４に送る。
【００５５】
データ処理手段２０４は第一の資源予約要求に付加されたアドレスから自機宛ての第一の資源予約要求と判定し、付加されたアドレスを外して第一の資源予約要求処理手段２０５に送る。
【００５６】
第一の資源予約要求処理手段２０５では第一の資源予約要求が入力されると第一の資源予約要求を検出し第一の資源予約要求の情報を識別子管理手段２０６に送る。
【００５７】
ここで、識別子管理手段２０６で管理している識別子について説明する。
【００５８】
識別子管理手段２０６では図６で示すように、資源予約識別子とデータ識別子を関連付けて管理している。なお関連付けられた組み合わせの数が一つの無線子機から資源予約ができる数である。なお、図６の組み合わせは８種類であるが、８種類に限定されるものではない。
【００５９】
資源予約識別子は、第二の資源予約要求の情報として使用され、該第二の資源予約要求に対する応答を受信し資源が予約できたならば、該第二の資源予約要求で使用した資源予約識別子の値と関連付けられたデータ識別子の値を第一の資源予約要求に対する応答の情報として使用する。また第二の資源予約要求で使用した資源予約識別子の値は使用中とし、他の第二の資源予約要求を生成するときは使用中でない資源予約識別子の値を使用し第二の資源予約要求を生成する。
【００６０】
また資源予約識別子の使用中を未使用にするには、第二の資源予約要求に対する応答で資源の予約が失敗と分かったときに該第二の資源予約要求で使用した資源予約識別子の値を未使用にする、あるいはデータが送信し終わったあとに所定の手続きで資源解放を行ったときに資源予約時に使用した資源予約識別子の値を未使用にする。
【００６１】
識別子管理手段２０６は、第一の資源予約要求処理手段２０５から情報を受け取ると未使用の資源予約識別子の値を調べ、未使用の資源予約識別子の一つと第一の資源予約要求処理手段２０５から受けた情報を第二の資源予約要求生成手段２０７に送る。
【００６２】
ここでは、選択した資源予約識別子の値は８とする。
【００６３】
第二の資源予約要求生成手段２０７は識別子管理手段２０６から受けた第一の資源予約要求の情報と識別子管理手段２０６で選んだ資源予約識別子（値は８）を情報として含む第二の資源予約要求を生成しデータ処理手段２０４に送る。
【００６４】
データ処理手段２０４は第二の資源予約要求を受けたら、第二の資源予約要求を無線親機１１に送信するため、第二の資源予約要求に無線親機１１のアドレスを付加して、無線通信手段２０２に送る。
【００６５】
無線通信手段２０２は第二の資源予約要求を受けるとデジタル変調を施し、無線送信する周波数帯の送信信号に変換しアンテナ２０１を介して無線に出力する。
【００６６】
無線親機１１はアンテナ３０１で、無線子機１２から出力された第二の資源予約要求を受信すると、無線通信手段３０２に送る。
【００６７】
無線通信手段３０２は第二の資源予約要求にデジタル復調を施しデータ処理手段３０４に送る。
【００６８】
データ処理手段３０４は第二の資源予約要求に付加されたアドレスから自機宛ての第二の資源予約要求と判定し、付加されたアドレスを外して第二の資源予約要求処理手段３０５に送る。
【００６９】
第二の資源予約要求処理手段３０５では第二の資源予約要求が入力されると第二の資源予約要求を検出し第二の資源予約要求の情報を資源割り当て手段３０６に送る。
【００７０】
資源割り当て手段３０６は第二の資源予約要求の情報から所定の判定方法で資源の割り当てが可能か判定し、資源割り当ての判定結果と第二の資源予約要求の情報に含まれた資源予約識別子（値は８）を第二の資源予約応答生成手段３０７に送る。
【００７１】
ここでの判定結果は予約が「成功」したとする。
【００７２】
第二の資源予約応答生成手段３０７は、資源割り当て手段３０６の判定結果（「成功」）と第二の資源予約要求に含まれた資源予約識別子（値は８）を情報として含まれる第二の資源予約要求に対する応答を生成しデータ処理手段３０４に送る。
【００７３】
データ処理手段３０４は第二の資源予約応答生成手段３０７から第二の資源予約要求に対する応答を受け取ると送信先の無線子機１２のアドレスを付加し無線通信手段３０２に送る。
【００７４】
無線通信手段３０２は第二の資源予約要求に対する応答を受けるとデジタル変調を施し、無線送信する周波数帯の送信信号に変換しアンテナ３０１を介して無線に出力する。
【００７５】
また資源割り当て手段３０６は、資源予約が成功したときのみ、割り当てた資源量と第二の資源予約要求を送信した無線子機のアドレスと資源予約識別子の値を関連づけて記憶し、割り当てた資源の順番になると、関連付けた無線子機のアドレスと資源予約識別子の値をデータ送信要求生成手段３０８に送る。ここでは無線子機のアドレスは無線子機１２のアドレスで資源予約識別子の値は、無線子機１２から送られた第二の資源予約要求の情報である資源予約識別子の値の８である。
【００７６】
データ送信要求生成手段３０８は無線子機１２のアドレスと資源予約識別子（値は８）を受けると、無線子機１２のアドレスと資源予約識別子を情報として含んだデータ送信要求を生成しデータ処理手段３０４に送る。
【００７７】
データ処理手段３０４は、データ送信要求生成手段３０８からデータ送信要求を受けると、データ送信要求にブロードキャストアドレスを付加して無線通信手段３０２に送る。
【００７８】
無線通信手段３０２ではデータ送信要求を受けるとデジタル変調を施し、無線送信する周波数帯の送信信号に変換しアンテナ３０１を介して無線に出力する。
【００７９】
無線子機１２はアンテナ２０１で、無線親機１１から出力された第二の資源予約要求に対する応答を受信すると、無線通信手段２０２に送る。
【００８０】
無線通信手段２０２は第二の資源予約要求に対する応答にデジタル復調を施しデータ処理手段２０４に送る。
【００８１】
データ処理手段２０４は第二の資源予約要求に対する応答を受信すると付加されたアドレスから自機宛ての第二の資源予約要求に対する応答と判定し、付加されたアドレスを外して第二の資源予約応答処理手段２０８に送る。
【００８２】
第二の資源予約応答処理手段２０８では第二の資源予約要求の応答が入力されると第二の資源予約要求に対する応答を検出し第二の資源予約要求に対する応答の情報を識別子管理手段２０６に送る。
【００８３】
識別子管理手段２０６は、第二の資源予約要求に対する応答の情報から資源の予約が「成功」したと分かると第二の資源予約要求に対する応答の情報として含まれる資源予約識別子の値から関連付けられたデータ識別子の値を調べ、無線親機１１の資源割り当て手段３０６の判定結果（「成功」）とデータ識別子（値は０）を第一の資源予約応答生成手段２０９に送る。
【００８４】
第一の資源予約応答生成手段２０９は識別子管理手段２０６から受けた無線親機１１の資源割り当て手段３０６の判定結果（「成功」）とデータ識別子（値は０）を情報として含んだ第一の資源予約要求に対する応答を生成しデータ処理手段２０４に送る。
【００８５】
データ処理手段２０４は第一の資源予約要求に対する応答を受けると該第一の資源予約要求を送信した通信機器２３のアドレスを付加して有線通信手段２０３に送る。
【００８６】
有線通信手段２０３は第一の資源予約要求に対する応答にデジタル変調を施し、送信信号に変換し有線に出力する。
【００８７】
通信機器２３は有線通信手段１０１で、無線子機１２から出力された第一の資源予約要求に対する応答を受信すると、デジタル復調を施しデータ処理手段１０２に送る。
【００８８】
データ処理手段１０２は第一の資源予約要求に対する応答に付加されたアドレスから自機宛ての第一の資源予約要求に対する応答と判定し、付加されたアドレスを外して第一の資源予約応答処理手段１０５に送る。
【００８９】
第一の資源予約応答処理手段１０５では第一の資源予約要求に対する応答が入力されると第一の資源予約要求に対する応答を検出し含まれている情報から、無線親機１１の資源割り当て手段３０６の判定結果が「成功」と分かると資源が予約できたのデータ蓄積手段１０３に所定のデータの送出要求を送り、データ識別子付加手段１０６に第一の資源予約要求に対する応答の情報であるデータ識別子（値は０）と所定のデータの情報を送る。
【００９０】
データ蓄積手段１０３は第一の資源予約応答処理手段１０５から送出要求を受けると所定のデータをデータ識別子付加手段１０６に送る。
【００９１】
データ識別子付加手段１０６はデータ蓄積手段１０３から所定のデータを受けると、第一の資源予約応答処理手段１０５から受けたデータの情報から該当するデータと判定してデータにデータ識別子を付加してデータ処理手段１０２に送る。
【００９２】
ここで、データ識別子の値を付加する箇所として図７に示す、インターネットプロトコルのデータリンク層で処理するＥｔｈｅｒｎｅｔ（Ｒ）ヘッダのＶＬＡＮタグの斜線部の３ｂｉｔを利用する方法がある。この３ｂｉｔの値はＩＥＥＥ８０２．１ｐの規格ではデータの優先度を表すフィールドとして使用されている。
【００９３】
データ処理手段１０２は識別子付加手段１０６からデータを受けたら、データを有線で接続された無線子機１２に送信するため、データに無線子機１２のアドレスを付加して、有線通信手段１０１に送る。
【００９４】
有線通信手段１０１はデータにデジタル変調を施し、送信信号に変換し有線に出力する。
【００９５】
無線子機１２は有線通信手段２０３で、通信機器２３から出力されたデータを受信すると、デジタル復調を施しデータ処理手段２０４に送る。
【００９６】
データ処理手段２０４はデータに付加されたアドレスから自機宛てのデータと判定し、付加されたアドレスを外して識別子変換手段２１０に送る。識別子変換手段２１０はデータを受けると付加されたデータ識別子の値を検出し、識別子管理手段２０６に該データ識別子の値と関連付けられた資源予約識別子の値を問い合わせる。識別子管理手段２０６は識別子変換手段２１０からデータ識別子の値を受けると関連付けられた資源予約識別子の値を識別子変換手段２１０に送る。識別子変換手段２１０は識別子管理手段２０６から関連付けられた資源予約識別子の値を受けるとデータに付加されたデータ識別子を外し、資源予約識別子の値をデータに付加しデータ保持手段２１２に送る。
【００９７】
データ保持手段２１２は識別子変換手段２１０からデータを受けるとデータを保持する。
【００９８】
次に無線子機１２はアンテナ２０１で、無線親機１１から出力されたデータ送信要求を受信すると、無線通信手段２０２へ送る。
【００９９】
無線通信手段２０２はデータ送信要求にデジタル復調を施しデータ処理手段２０４に送る。
【０１００】
データ処理手段２０４はデータ送信要求を受信すると付加されたアドレスがブロードキャストなので、付加されたアドレスを外してデータ送信要求処理手段２１１に送る。
【０１０１】
データ送信要求処理手段２１１ではデータ送信要求が入力されるとデータ送信要求を検出しデータ送信要求の情報をデータ保持手段２１２に送る。
【０１０２】
データ保持手段２１２ではデータ送信要求処理手段２１１からデータ送信要求の情報を受けるとデータ送信要求の情報に含まれているアドレス情報から自機に対するデータ送信要求と分かり、データ送信要求の情報に含まれる資源予約識別子の値と同じ値を付加しているデータをデータ処理手段２０４に送る。ここで他の無線子機がデータ送信要求を受信したら、データ送信要求の情報に含まれているアドレス情報から自機に対するデータ送信要求でないとわかり、無線区間には無線子機２３が予約した資源が終わるまで送信は行わない。
【０１０３】
データ処理手段２０４は無線機器２５のアドレスをデータに付加して無線通信手段２０２に送る。
【０１０４】
無線通信手段２０２ではデータを受けるとデジタル変調を施し、無線送信する周波数帯の送信信号に変換しアンテナ２０１を介して無線に出力する。データは無線子機１３のアンテナ２０１で受信され、無線子機１３の無線通信手段２０２、データ処理手段２０４、有線通信手段２０３の順に通過して有線を介して通信機器２５に届く。
【０１０５】
以上のようにして通信機器が資源を予約してデータ送信を行う。
【０１０６】
次に、通信機器２３から通信機器２５にデータ送信中に、通信機器２４から通信機器２６にデータ送信を行い、無線子機１２で２種類のデータが混在した時のデータ制御について図８を用いて説明する。
【０１０７】
通信機器２４は、通信機器２３が資源予約を行った時と同じ方法で資源を予約する。ここでは資源が予約できたものとする。使用した資源予約識別子は９、データ識別子は資源予約識別子の値である９に関連付けられた値である１とする。通信機器２４はデータにデータ識別子（値は１）を付加して送信する。
【０１０８】
無線子機１２では、通信機器２３からデータ識別子の値が０のデータを受け、通信機器２４からはデータ識別子の値が１のデータを受ける。
【０１０９】
データを受けた無線子機１２は、識別子変換手段２１０で通信機器２３からのデータに付加されたデータ識別子の値の０を資源予約識別子の値の８と交換し、通信機器２４からのデータに付加されたデータ識別子の値の１を資源予約識別子の値の９と交換する。
【０１１０】
資源予約識別子を付加されたデータはデータ保持手段２１２に送られ、データ保持手段２１２では、データに付加された資源予約識別子の値を調べ、資源予約識別子の値ごとに保持する。
【０１１１】
以上のようにして、無線子機に有線で接続された通信機器から送信されるデータごとに資源予約識別子が付加でき、無線親機でのネットワーク資源の割り当てに応じて無線にデータを送信することが可能となる。
【０１１２】
また、本実施の形態では通信機器のデータ識別子付加手段１０６でデータ識別子の値をＥｔｈｅｒｎｅｔ（Ｒ）ヘッダに書き込むことにより、無線子機はインターネットプロトコルのレイヤ２であるデータリンク層で動作するブリッジやスイッチングハブでデータの処理が可能になり、伝送路での処理が軽減できる。
【０１１３】
なお、本実施の形態では図７に示した斜線部にデータ識別子を書き込むとしたが、それ以外の箇所に書き込むとしてもよい。
【０１１４】
また、インターネットプロトコルのデータリンク層で扱う送信先のアドレス（４８ｂｉｔ）とレイヤ４であるトランスポート層で扱う送信先のポート番号（１６ｂｉｔ）を参照してデータの識別を行うのに比べ、本実施の形態では図６に示したデータ識別子の値を使用するのならば３ｂｉｔで表すことが可能なので、送信先のアドレスと送信先のポート番号に比べて無線子機で管理する情報量が軽減でき、さらに処理時間が軽減できる。
【０１１５】
なお、無線親機１１に接続された通信機器２１または通信機器２２からデータを送信する場合は、無線親機１１に、無線子機１２と同等の機能を持たせ、無線親機１１内で第一の資源予約要求の処理を行ってもよい。
【０１１６】
または、データの送信先の通信機器に有線で接続された無線子機に第二の資源予約要求を行う要求を送るものとしてもよい。
【０１１７】
本発明では、これらいずれの方法でもよい。
【０１１８】
（実施の形態２）
図１、図３、図９は、本発明の実施の形態２におけるデータ制御システムの構成を示すブロック図である。
【０１１９】
図１、図３の説明は実施の形態１で説明したので省略する。
【０１２０】
図９において、図２と同じ構成要素については同じ符号を用い、説明を省略する。
【０１２１】
図９の無線子機は、アンテナ２０１、無線通信手段２０２、有線通信手段２０３、データ処理手段２０４、第一の資源予約要求処理手段２０５、第二の資源予約要求生成手段２０７、第二の資源予約応答処理手段２０８、第一の資源予約応答生成手段２０９、識別子変換手段２１０、データ送信要求処理手段２１１、データ保持手段２１２は実施の形態１と同等の構成である。
【０１２２】
さらに、無線親機に送信する第二の資源予約要求に含まれる資源予約識別子と、通信機器に送信する第一の資源予約要求に対する応答に含まれるデータ識別子と資源量の値を関連付けて管理する識別子管理手段２１３で構成される。
【０１２３】
本実施の形態では、無線子機の識別子管理手段２１３は、第一の資源予約要求処理手段２０５から受け取る第一の資源予約要求の情報から、必要な資源量を調べ、その資源量に関連付けられた資源予約識別子と、第一の資源予約要求の情報を第二の資源予約要求生成手段２０７に送るところが実施の形態１と異なる。
【０１２４】
以上のように構成したデータ制御システムの動作について説明する。
【０１２５】
なお、本実施の形態の資源割り当て方法とネットワークは、実施の形態１と同じとする（図４及び図５参照）。
【０１２６】
ここでも、実施の形態１と同様に、通信機器２３から通信機器２５にデータを送信する場合を例として説明する。また送信するデータは大容量の映像等のストリームデータとする。
【０１２７】
なお、無線子機１２において、第一の資源予約要求が第一の資源予約要求処理手段２０５で検出されるまでの動作は実施の形態１と同じであるため、省略する。
【０１２８】
無線子機１２の第一の資源予約要求処理手段２０５では第一の資源予約要求が入力されると第一の資源予約要求を検出し第一の資源予約要求の情報を識別子管理手段２１３に送る。
【０１２９】
ここで、識別子管理手段２１３で管理している識別子について説明する。
【０１３０】
識別子管理手段２１３では図１０で示すように、資源予約識別子とデータ識別子と必要な資源量が関連付けられている。
【０１３１】
これは、無線の資源の最大量を２０とするならば、確保したい資源量が１０以上の資源予約は一つが限界で、確保したい資源量が１０未満７以上なら二つが限界で、確保したい資源量が７未満５以上なら三つが限界であるので、図１０では、確保したい資源量の値が１０以上の値ならば、資源予約識別子の値は１５、確保したい資源量の値が１０未満で７以上ならば、資源予約識別子の値は１３と１４、確保したい資源量の値が７未満で５以上ならば、資源予約識別子の値は１０〜１２、確保したい資源量の値が５未満ならば、資源予約識別子の値は８と９とした。
【０１３２】
これにより、必要な資源量が５以上ならば第二の資源予約要求を無線親機に送信して、資源割り当て手段３０６で予約の判定を行わなくても、資源量に関連付けられた予約識別子がすべて使用中ならば、予約できないと判定できる。
【０１３３】
識別子管理手段２１３は、第一の資源予約要求処理手段２０５から第一の資源予約要求の情報を受け取ると、第一の資源予約要求の情報から、必要な資源量を調べ、その資源量に関連付けられた資源予約識別子の値から未使用の値を調べ、未使用の資源予約識別子の一つと第一の資源予約要求処理手段２０５から受けた情報を第二の資源予約要求生成手段２０７に送る。
【０１３４】
第一の資源予約要求の情報を調べ必要な資源量と分かると、識別子管理手段２１３では必要な資源量に関連付けられた資源予約識別子の値のうち未使用の値から一つ選び、選んだ資源予約識別子の値と第一の資源予約要求の情報を第二の資源予約要求生成手段２０７に送る。
【０１３５】
また、必要な資源量に関連付けられた資源予約識別子の値が全て使用中ならば、識別子管理手段２１３は、第二の資源予約応答処理手段２０８から送られてきた情報から予約が失敗したと判定したときに、第一の資源予約応答生成手段２０７に送る情報と同じ情報を第一の資源予約応答生成手段２０７に送る。
【０１３６】
なお、以降の動作は実施の形態１と同じであるため、省略する。
【０１３７】
以上説明したように、本実施の形態によれば、識別子管理手段２１３では、必要な資源量に関連付けられた資源予約識別子を割り当てることにより、関連付けられた資源予約識別子の値が全て使用中ならば、その時点で予約は無理と判定するので、第一の資源予約要求に対する応答を送ることができる。
【０１３８】
さらに、データ識別子の値が大きいほど必要な資源量が大きい高品質なデータであることが分かる。よって、データ識別子の値をＶＬＡＮタグの優先度フィールドである図７の斜線部に書き込めば、この優先度フィールドの値を用いて優先制御を行えるブリッジが通信機器と無線子機の間に設置すれば、高品質なデータであるデータ識別子の値が大きいデータを優先的に出力できる。
【０１３９】
なお、必要な資源量に関連付けられた資源予約識別子の組み合わせは、図１０の組み合わせに限定されるものではない。最大資源量や一つの無線子機で予約できる数により変えてもよい。
【０１４０】
（実施の形態３）
図３、図１１、図１２は、本発明の実施の形態３におけるデータ制御システムの構成を示すブロック図である。
【０１４１】
図３の説明は実施の形態１で説明したので省略する。
【０１４２】
図１１において、図１と同じ構成要素については同じ符号を用い、説明を省略する。
【０１４３】
図１１の通信機器は、有線通信手段１０１、データ処理手段１０２、データ蓄積手段１０３、資源予約要求生成手段１０４、第一の資源予約応答処理手段１０５は実施の形態１と同等の構成である。
【０１４４】
さらに、データ蓄積手段１０３から受けたデータのインターネットプロトコルのレイヤ４であるトランスポート層で扱う送信先ポート番号を、Ｅｔｈｅｒｎｅｔ（Ｒ）ヘッダにデータ識別子として付加するデータ識別子付加手段１０７で構成される。
【０１４５】
図１２において、図２と同じ構成要素については同じ符号を用い、説明を省略する。
【０１４６】
図１２の無線子機は、アンテナ２０１、無線通信手段２０２、有線通信手段２０３、データ処理手段２０４、第一の資源予約要求処理手段２０５、第二の資源予約要求生成手段２０７、第二の資源予約応答処理手段２０８、データ送信要求処理手段２１１は実施の形態１と同等の構成である。
【０１４７】
さらに、無線親機に送信する第二の資源予約要求に含まれる資源予約識別子を管理し、無線親機から受ける第二の資源予約要求の応答に含まれる情報から資源の予約が成功したと分かると、第二の資源予約要求に使用した資源予約識別子とデータの送信先ポート番号と送信先アドレスを関連付けて管理する識別子管理手段２１４、第二の資源予約要求に対する応答の情報から、通信機器に送信する第一の資源予約要求に対する応答を生成する第一の資源予約応答生成手段２１５、通信機器から受信したデータのＥｔｈｅｒｎｅｔ（Ｒ）ヘッダにデータ識別子として付加された送信先ポート番号を、送信先ポート番号と送信先アドレスと関連付けられた資源予約識別子の値に変換する識別子変換手段２１６、識別子変換手段２１６にてデータにデータ識別子として付加された送信先ポート番号を資源予約識別子に変換されたデータを保持し、データ送信要求処理手段２１１で検出された資源予約識別子の値と一致する資源予約識別子の値が付加されたデータを送出するデータ保持手段２１７で構成される。
【０１４８】
本実施の形態では、無線子機の識別子管理手段２１４は、第二の資源予約要求に対する応答に含まれる情報から資源の予約が成功したと分かると、該第二の資源予約要求に使用した資源予約識別子の値とデータの送信先ポート番号と送信先アドレスを関連付けて管理し、通信機器のデータ識別子付加手段１０７は、データ蓄積手段からデータを受けると、ＴＣＰ／ＵＤＰのヘッダに含まれる送信先ポート番号をデータ識別子としてＥｔｈｅｒｎｅｔ（Ｒ）ヘッダに付加するところが実施の形態１及び実施の形態２と異なる。
【０１４９】
以上のように構成したデータ制御システムの動作について説明する。
【０１５０】
なお、本実施の形態の資源割り当て方法とネットワークは、実施の形態１と同じとする（図４及び図５参照）。
【０１５１】
ここでも、実施の形態１と同様に、通信装置２３から通信装置２５にデータを送信する場合を例として説明する。また送信するデータは大容量の映像等のストリームデータとする。
【０１５２】
なお、無線子機１２において、第二の資源予約要求に対する応答が第二の資源予約応答処理手段２０８で検出されるまでの動作は実施の形態１と同じであるため、省略する。
【０１５３】
第二の資源予約応答処理手段２０８では第二の資源予約要求の応答が入力されると第二の資源予約要求に対する応答を検出し第二の資源予約要求に対する応答の情報を識別子管理手段２１４に送る。
【０１５４】
識別子管理手段２１４は、第二の資源予約要求に対する応答の情報から資源の予約が「成功」したと分かると第二の資源予約要求に対する応答の情報として含まれる資源予約識別子の値と送信するデータのインターネットプロトコルのトランスポート層で扱う送信先ポート番号とレイヤ２であるデータリンク層で扱う送信先アドレスを関連付けて管理し、無線親機１１の資源割り当て手段３０６の判定結果（「成功」）を第一の資源予約応答生成手段２１５に送る。
【０１５５】
第一の資源予約応答生成手段２１５は識別子管理手段２１４から受けた無線親機１１の資源割り当て手段３０６の判定結果（「成功」）を情報として含んだ第一の資源予約要求に対する応答を生成しデータ処理手段２０４に送る。
【０１５６】
データ処理手段２０４は第一の資源予約要求に対する応答を受けると該第一の資源予約要求を送信した通信機器２３のアドレスを付加して有線通信手段２０３に送る。有線通信手段２０３は第一の資源予約要求に対する応答にデジタル変調を施し、送信信号に変換し有線に出力する。
【０１５７】
通信機器２３は有線通信手段１０１で、無線子機１２から出力された第一の資源予約要求に対する応答を受信すると、デジタル復調を施しデータ処理手段１０２に送る。
【０１５８】
データ処理手段１０２は第一の資源予約要求に対する応答に付加されたアドレスから自機宛ての第一の資源予約要求に対する応答と判定し、付加されたアドレスを外して第一の資源予約応答処理手段１０５に送る。
【０１５９】
第一の資源予約応答処理手段１０５では第一の資源予約要求に対する応答が入力されると第一の資源予約要求に対する応答を検出し含まれている情報から、無線親機１１の資源割り当て手段３０６の判定結果が「成功」と分かると資源が予約できたのデータ蓄積手段１０３に所定のデータの送出要求を送る。
【０１６０】
データ蓄積手段１０３は第一の資源予約応答処理手段１０５から送出要求を受けると所定のデータをデータ識別子付加手段１０７に送る。
【０１６１】
データ識別子付加手段１０７はデータ蓄積手段１０３から所定のデータを受けると、データのＴＣＰ／ＵＤＰヘッダに付加されている送信先ポート番号をデータ識別子としてデータに付加してデータ処理手段１０２に送る。
【０１６２】
ここで、データ識別子の値を付加する箇所として図７に示すＥｔｈｅｒｎｅｔ（Ｒ）ヘッダのＶＬＡＮタグのタグ制御情報の２ｂｙｔｅ（１６ｂｉｔ）を利用する方法がある。
【０１６３】
データ処理手段１０２はデータ識別子付加手段１０７からデータを受けたら、データを有線で接続された無線子機１２に送信するため、データに無線子機１２のアドレスを付加して、有線通信手段１０１に送る。
【０１６４】
有線通信手段１０１はデータにデジタル変調を施し、送信信号に変換し有線に出力する。
【０１６５】
無線子機１２は有線通信手段２０３で、通信機器２３から出力されたデータを受信すると、デジタル復調を施しデータ処理手段２０４に送る。
【０１６６】
データ処理手段２０４はデータに付加されたアドレスから自機宛てのデータと判定し、付加されたアドレスを外して識別子変換手段２１６に送る。
【０１６７】
識別子変換手段２１６はデータを受けると付加されたデータ識別子であるＥｔｈｅｒｎｅｔ（Ｒ）ヘッダの送信先ポート番号と、Ｅｔｈｅｒｎｅｔ（Ｒ）ヘッダに記載されている送信先アドレスの値を検出し、識別子管理手段２１４に該送信先ポート番号と該送信先アドレスの値と関連付けられた資源予約識別子の値を問い合わせる。識別子管理手段２１４は識別子変換手段２１６から送信先ポート番号と送信先アドレスの値を受けると関連付けられた資源予約識別子の値を識別子変換手段２１６に送る。識別子変換手段２１６は識別子管理手段２１４から関連付けられた資源予約識別子の値を受けるとデータにデータ識別子として付加したＥｔｈｅｒｎｅｔ（Ｒ）ヘッダの送信先ポート番号を資源予約識別子の値に変換しデータ保持手段２１７に送る。
【０１６８】
データ保持手段２１７は識別子変換手段２１６からデータを受けるとデータを保持する。
【０１６９】
なお、以降の動作は実施の形態１と同じであるため、省略する。
【０１７０】
以上のようにして、本実施の形態によれば、データ識別子付加手段１０７では、資源の予約が成功したならばデータのＥｔｈｅｒｎｅｔ（Ｒ）ヘッダにＴＣＰ／ＵＤＰヘッダに記載されている送信先ポート番号を付加することにより、無線子機の識別子変換手段では２１６ではデータを識別するために、ＴＣＰ／ＵＤＰヘッダの送信先ポート番号を参照することが可能なインターネットプロトコルのレイヤ４であるトランスポート層で動作するアプリケーションスイッチや送信先ポート番号を判別可能な機器を必要とすることがなく、レイヤ２であるデータリンク層で動作するブリッジやスイッチングハブで処理が可能になり、伝送路での処理が軽減できる。
【０１７１】
さらに、通信機器が保持している既存の情報である送信先アドレスと送信先ポート番号での処理が行える。
【産業上の利用可能性】
【０１７２】
本発明にかかるデータ制御システムは、無線に限らずデータに対する処理時間の短縮という効果が必要な資源予約が可能な伝送媒体等の用途にも適用できる。
【図面の簡単な説明】
【０１７３】
【図１】本発明の実施の形態１・２における通信機器の構成を示すブロック図
【図２】本発明の実施の形態１における無線子機の構成を示すブロック図
【図３】本発明の実施の形態１〜３における無線親機の構成を示すブロック図
【図４】ＨＣＦｐｏｌｌｅｄ  ｃｈａｎｎｅｌ  ａｃｃｅｓｓの資源割り当ての図
【図５】本発明の実施の形態１〜３におけるネットワークの一例の図
【図６】本発明の実施の形態１における識別子管理手段で管理する識別子の図
【図７】タグ付きＥｔｈｅｒｎｅｔ（Ｒ）ヘッダの図
【図８】本発明の実施の形態１におけるデータ推移の図
【図９】本発明の実施の形態２における無線子機の構成を示すブロック図
【図１０】本発明の実施の形態２における識別子管理手段で管理する識別子の図
【図１１】本発明の実施の形態３における通信機器の構成を示すブロック図
【図１２】本発明の実施の形態３における無線子機の構成を示すブロック図
【図１３】従来の無線ネットワークの構成を示す図
【図１４】従来の制御フレーム及び情報フレームを示す図
【図１５】有線と無線が混在したネットワークの図
【符号の説明】
【０１７４】
１１    無線親機
１２    無線子機
１３    無線子機
２１    通信機器
２２    通信機器
２３    通信機器
２４    通信機器
２５    通信機器
２６    通信機器
１０１    有線通信手段
１０２    データ処理手段
１０３    データ蓄積手段
１０４    第一の資源予約要求生成手段
１０５    第一の資源予約応答処理手段
１０６    データ識別子付加手段
１０７    データ識別子付加手段
２０１    アンテナ
２０２    無線通信手段
２０３    有線通信手段
２０４    データ処理手段
２０５    第一の資源予約要求処理手段
２０６    識別子管理手段
２０７    第二の資源予約要求生成手段
２０８    第二の資源予約応答処理手段
２０９    第一の資源予約応答生成手段
２１０    識別子変換手段
２１１    データ送信要求処理手段
２１２    データ保持手段
２１３    識別子管理手段
２１４    識別子管理手段
２１５    第一の資源予約応答生成手段
２１６    識別子変換手段
２１７    データ保持手段
３０１    アンテナ
３０２    無線通信手段
３０３    有線通信手段
３０４    データ処理手段
３０５    第二の資源予約要求処理手段
３０６    資源割り当て手段
３０７    第二の資源予約応答生成手段
３０８    データ送信要求生成手段
１００１    無線親機
１００２    無線子機
１００３    無線子機
２００１    要求アクセス応答フレーム
２００２    要求アクセスフレーム
２００３    データ送信許可フレーム
２００４    データ送信フレーム
３００１    無線親機
３００２    無線子機
３００３    無線子機
４００１    通信機器
４００２    通信機器
４００３    通信機器
４００４    通信機器
４００５    通信機器
４００６    通信機器
【図１】
2005167539.tif 000003
【図２】
2005167539.tif 000004
【図３】
2005167539.tif 000005
【図４】
2005167539.tif 000006
【図５】
2005167539.tif 000007
【図６】
2005167539.tif 000008
【図７】
2005167539.tif 000009
【図８】
2005167539.tif 000010
【図９】
2005167539.tif 000011
【図１０】
2005167539.tif 000012
【図１１】
2005167539.tif 000013
【図１２】
2005167539.tif 000014
【図１３】
2005167539.tif 000015
【図１４】
2005167539.tif 000016
【図１５】
2005167539.tif 000017